(57)【要約】【課題】アップリンク制御シグナリングのフィードバック処理方法及びシステムを提供すること。【解決手段】該方法は、基地局が端末装置に、端末装置が物理アップリンク制御チャネルＰＵＣＣＨ及び/又は物理アップリンク共有チャネルＰＵＳＣＨでアップリンク制御シグナリングを送信する方式を指示するアップリンク制御シグナリングのフィードバックモードを配置し、端末装置が前記フィードバックモードに従ってアップリンク制御シグナリングを送信するステップを含む。本発明によると、基地局がアップリンク制御シグナリングを正確に復調することができる。【選択図】図１
2013534761.tif 000002
【特許請求の範囲】
【請求項１】
基地局が端末装置に、前記端末装置が物理アップリンク制御チャネルＰＵＣＣＨ及び/又は物理アップリンク共有チャネルＰＵＳＣＨでアップリンク制御シグナリングを送信する方式を指示するアップリンク制御シグナリングのフィードバックモードを配置し、
前記端末装置が前記フィードバックモードに従ってアップリンク制御シグナリングを送信するステップを含むことを特徴とするアップリンク制御シグナリングのフィードバック処理方法。
【請求項２】
前記フィードバックモードが、ＰＵＣＣＨとＰＵＳＣＨの同時送信を許可し、アップリンク制御シグナリングを前記ＰＵＣＣＨで送信するモードを含み、その中、前記アップリンク制御シグナリングが肯定/否定ＡＣＫ/ＮＡＣＫ応答メッセージ、スケジューリング要請、周期的チャネル状態情報の中の少なくとも一つを含むことを特徴とする請求項１に記載の方法。
【請求項３】
前記アップリンク制御シグナリングがＡＣＫ/ＮＡＣＫ応答メッセージ、スケジューリング要請又は周期的チャネル状態情報の中の少なくとも２種類を含む場合、前記ＰＵＣＣＨで再利用する方式で前記アップリンク制御シグナリングを送信することを特徴とする請求項２に記載の方法。
【請求項４】
ＰＵＳＣＨに対応するダウンリンク制御情報が非周期的チャネル状態情報の制御領域の有効化をトリガーした場合、
前記アップリンク制御シグナリングが周期的チャネル状態情報を含まないと、前記非周期的チャネル状態情報を対応するＰＵＳＣＨで送信し、
前記アップリンク制御シグナリングが周期的チャネル状態情報を含み、周期状態情報が示すダウンリンクコンポーネントキャリアのチャネル状態情報を前記非周期的チャネル状態情報が含むと、前記非周期的チャネル状態情報を対応するＰＵＳＣＨで送信し、同時に周期的チャネル状態情報は送信せず、
前記アップリンク制御シグナリングが周期的チャネル状態情報を含み、周期状態情報が示すダウンリンクコンポーネントキャリアのチャネル状態情報を前記非周期的チャネル状態情報が含まないと、前記非周期的チャネル状態情報を対応するＰＵＳＣＨで送信し、前記周期的チャネル状態情報をＰＵＣＣＨで送信し、又は、前記周期的チャネル状態情報と前記非周期的チャネル状態情報を新しいチャネル状態情報レポートに組み合わせて、前記新しいチャネル状態情報を送信しようとする前記非周期的チャネル状態情報をトリガーしたダウンリンク制御情報に対応するＰＵＳＣＨで送信することを特徴とする請求項２に記載の方法。
【請求項５】
前記フィードバックモードが、ＰＵＣＣＨとＰＵＳＣＨの同時送信を許可し、アップリンク制御シグナリングをＰＵＣＣＨとＰＵＳＣＨで送信するモードを含み、その中、前記アップリンク制御シグナリングがＡＣＫ/ＮＡＣＫ応答メッセージ、スケジューリング要請、周期的チャネル状態情報の中の少なくとも一つを含むことを特徴とする請求項１に記載の方法。
【請求項６】
前記アップリンク制御シグナリングがＡＣＫ/ＮＡＣＫ応答メッセージ、スケジューリング要請、周期的チャネル状態情報の中の一つのみを含むと、又は、ＡＣＫ/ＮＡＣＫ応答メッセージとスケジューリング要請を含むと、前記ＰＵＣＣＨで送信することを特徴とする請求項５に記載の方法。
【請求項７】
前記アップリンク制御シグナリングが周期的チャネル状態情報と、ＡＣＫ/ＮＡＣＫ応答メッセージ及びスケジューリング要請の中の少なくとも一つを含むと、前記ＡＣＫ/ＮＡＣＫ応答メッセージと前記スケジューリング要請の中の少なくとも一つを前記ＰＵＣＣＨで送信し、前記周期的チャネル状態情報を前記ＰＵＳＣＨで送信することを特徴とする請求項５に記載の方法。
【請求項８】
前記周期的チャネル状態情報をＰＵＳＣＨで送信することが、
ＰＵＳＣＨを送信しようとするアップリンクコンポーネントキャリアがアップリンクメインコンポーネントキャリアを含む場合、前記周期的チャネル状態情報を前記アップリンクメインコンポーネントキャリアに対応するＰＵＳＣＨで送信し、
ＰＵＳＣＨを送信しようとするアップリンクコンポーネントキャリアがアップリンクメインコンポーネントキャリアを含まない場合、
前記周期的チャネル状態情報を搬送波周波数が最高又は最低であるアップリンクコンポーネントキャリアに対応するＰＵＳＣＨで送信し、
前記周期的チャネル状態情報をアップリンクメインコンポーネントキャリアと予め設定した関係を満たすアップリンクコンポーネントキャリアに対応するＰＵＳＣＨで送信し、
前記周期的チャネル状態情報を上位階層から配置されたアップリンクコンポーネントキャリアに対応するＰＵＳＣＨで送信し、
前記周期的チャネル状態情報をキャリアインデックスが最大又は最小であるアップリンクコンポーネントキャリアに対応するＰＵＳＣＨで送信する
方式の中の一つによって前記アップリンク制御シグナリングを送信することを特徴とする請求項７に記載の方法。
【請求項９】
前記ＰＵＣＣＨと前記ＰＵＳＣＨが位置するキャリアが同一のキャリア又は異なるキャリアであることを特徴とする請求項２ないし８の中のいずれかに記載の方法。
【請求項１０】
前記フィードバックモードが、ＰＵＣＣＨとＰＵＳＣＨの同時送信を許可せず、アップリンク制御シグナリングをＰＵＳＣＨで送信し、同時にＰＵＣＣＨは送信しないモードを含むことを特徴とする請求項１に記載の方法。
【請求項１１】
前記アップリンク制御シグナリングをＰＵＳＣＨで送信することが、
ＰＵＳＣＨを送信しようとするアップリンクコンポーネントキャリアがアップリンクメインコンポーネントキャリアを含む場合、前記アップリンク制御情報を前記アップリンクメインコンポーネントキャリアに対応するＰＵＳＣＨで送信し、
ＰＵＳＣＨを送信しようとするアップリンクコンポーネントキャリアがアップリンクメインコンポーネントキャリアを含まない場合、
前記アップリンク制御シグナリングを搬送波周波数が最高又は最低であるアップリンクコンポーネントキャリアに対応するＰＵＳＣＨで送信し、
前記アップリンク制御シグナリングをアップリンクメインコンポーネントキャリアと予め設定した関係を満たすアップリンクコンポーネントキャリアに対応するＰＵＳＣＨで送信し、
前記アップリンク制御シグナリングを上位階層から配置されたアップリンクコンポーネントキャリアに対応するＰＵＳＣＨで送信し、
前記アップリンク制御シグナリングをキャリアインデックスが最大又は最小であるアップリンクコンポーネントキャリアに対応するＰＵＳＣＨで送信する
方式の中の一つによって前記アップリンク制御シグナリングを送信することを特徴とする請求項１０に記載の方法。
【請求項１２】
ＰＵＳＣＨに対応するダウンリンク制御情報が非周期的チャネル状態情報の制御領域の有効化をトリガーした場合、
前記アップリンク制御シグナリングが周期的チャネル状態情報を含まないと、前記非周期的チャネル状態情報を対応するＰＵＳＣＨで送信し、
前記アップリンク制御シグナリングが周期的チャネル状態情報を含み、且つ前記周期的チャネル状態情報が示すダウンリンクコンポーネントキャリアのチャネル状態情報を前記非周期的チャネル状態情報が含まないと、前記周期的チャネル状態情報と前記非周期的チャネル状態情報を新しいチャネル状態情報レポートに組み合わせて、前記新しいチャネル状態情報を送信しようとする前記非周期的チャネル状態情報をトリガーしたダウンリンク制御情報に対応するＰＵＳＣＨで送信し、
前記アップリンク制御シグナリングが周期的チャネル状態情報を含み、且つ前記周期的チャネル状態情報が示すダウンリンクコンポーネントキャリアのチャネル状態情報を前記非周期的チャネル状態情報が含むと、前記非周期的チャネル状態情報を送信しようとする前記非周期的チャネル状態情報をトリガーしたダウンリンク制御情報に対応するＰＵＳＣＨで送信し、前記周期的チャネル状態情報は送信しないことを特徴とする請求項５又は１０に記載の方法。
【請求項１３】
基地局と端末装置を備えるアップリンク制御シグナリングフィードバック処理システムであって、
前記基地局は前記端末装置に、前記端末装置がＰＵＣＣＨ及び/又はＰＵＳＣＨでアップリンク制御シグナリングを送信する方式を指示するアップリンク制御シグナリングのフィードバックモードを配置し、
前記端末装置は前記フィードバックモードに従ってアップリンク制御シグナリングを送信することを特徴とするアップリンク制御シグナリングフィードバック処理システム。
【請求項１４】
前記基地局が前記端末装置に配置した前記フィードバックモードが、ＰＵＣＣＨとＰＵＳＣＨの同時送信を許可し、アップリンク制御シグナリングを前記ＰＵＣＣＨで送信するモードを含み、その中、前記アップリンク制御シグナリングがＡＣＫ/ＮＡＣＫ応答メッセージ、スケジューリング要請、周期的チャネル状態情報の中の少なくとも一つを含むことを特徴とする請求項１３に記載のシステム。
【請求項１５】
前記基地局が前記端末装置に配置した前記フィードバックモードが、ＰＵＣＣＨとＰＵＳＣＨの同時送信を許可し、アップリンク制御シグナリングを前記ＰＵＣＣＨと前記ＰＵＳＣＨで送信するモードを含み、その中、前記アップリンク制御シグナリングがＡＣＫ/ＮＡＣＫ応答メッセージ、スケジューリング要請、周期的チャネル状態情報の中の少なくとも一つを含むことを特徴とする請求項１３に記載のシステム。
【請求項１６】
前記基地局が前記端末装置に配置した前記フィードバックモードが、ＰＵＣＣＨとＰＵＳＣＨの同時送信を許可せず、アップリンク制御シグナリングをＰＵＳＣＨで送信し、同時にＰＵＣＣＨは送信しないモードを含むことを特徴とする請求項１３に記載のシステム。
【発明の詳細な説明】
【技術分野】
【０００１】
本発明は、通信分野に関し、具体的には、アップリンク制御シグナリングのフィードバック処理方法及びシステムに関する。
【背景技術】
【０００２】
長期進化システム（Long  Term  Evolution、以下ＬＴＥと略称）において、アップリンクが伝送する制御シグナリングは、肯定/否定応答メッセージ（Acknowledgement  /Negative  Acknowledgement、以下ＡＣＫ/ＮＡＣＫと略称）と、スケジューリング要請（Scheduling  Request、以下ＳＲと略称）と、ダウンリンク物理チャネル状態の情報（Channel  State  Information、以下ＣＳＩと略称）を反映するチャネル品質指示（Channels  quality  indication、以下ＣＱＩと略称）、プリコーディングマトリクスインジケータ（Pre-coding  Matrix  Indicator、以下ＰＭＩと略称）、ランクインジケータ（Rank  Indicator、以下ＲＩと略称）の三つの形式と、がある。
【０００３】
端末装置（User  Equipment、以下ＵＥと略称）が物理アップリンク共有チャネル（Physical  Uplink  Shared  Channel、以下ＰＵＳＣＨと略称）を有していない場合、上記アップリンク制御シグナリングは物理アップリンク制御チャネル（Physical  Uplink  Control  Channel、以下ＰＵＣＣＨと略称）にて送信される。
【０００４】
ＬＴＥに、ＰＵＣＣＨ  ｆｏｒｍａｔ  １/１ａ/１ｂとｆｏｒｍａｔ  ２/２ａ/２ｂを含むさまざまなＰＵＣＣＨフォーマット（ｆｏｒｍａｔ）が定義され、その中、ｆｏｒｍａｔ  １は、ＵＥのスケジューリング要請ＳＲを送信するもので、ｆｏｒｍａｔ  １ａと１ｂは、それぞれ１ビットのＡＣＫ/ＮＡＣＫ応答メッセージと２ビットのＡＣＫ/ＮＡＣＫ応答メッセージを送信するものであって、ｆｏｒｍａｔ  ２はダウンリンクのチャネル状態情報ＣＳＩを送信するもので、サブフレームが拡張サイクリックプレフィックスを用いる場合、ＣＳＩとＡＣＫ/ＮＡＣＫ応答メッセージ（同一のサブフレームにて２種類のアップリンク制御シグナリングを送信する必要がある場合）を同時に送信し、ｆｏｒｍａｔ  ２ａはＣＳＩと１ビットのＡＣＫ/ＮＡＣＫ応答メッセージ（同一のサブフレームにて２種類のアップリンク制御シグナリングを送信する必要がある場合）を送信するもので、ｆｏｒｍａｔ  ２ｂはＣＳＩ情報と２ビットのＡＣＫ/ＮＡＣＫ応答メッセージ（同一のサブフレームにて２種類のアップリンク制御シグナリングを送信する必要がある場合）を送信するものである。端末装置が同時にＰＵＳＣＨの送信がある場合、アップリンクの単一搬送波性を保持するため、アップリンク制御シグナリングをＰＵＳＣＨに再利用し、データと一緒に送信しなければならない。その中、ＣＳＩの三つの形式であるＣＱＩ/ＰＭＩ、ＲＩのフィードバックは周期的にフィードバックすることができれば、非周期的にフィードバックすることもでき、表１に周期的なフィードバックと非周期的なフィードバックに対応するアップリンク物理チャネルを示す、具体的なフィードバックは表１に示すとおりである。
【表１】
2013534761.tif 000003
【０００５】
その中、周期的にフィードバックしたＣＱＩ/ＰＭＩ、ＲＩの場合、ＵＥがアップリンクデータを送信する必要がないと、周期的にフィードバックされるＣＱＩ/ＰＭＩ、ＲＩはＰＵＣＣＨでフォーマット２/２ａ/２ｂ（ＰＵＣＣＨ  ｆｏｒｍａｔ２/２ａ/２ｂ）で伝送され、ＵＥがアップリンクデータを送信する必要があると、ＣＱＩ/ＰＭＩ、ＲＩはＰＵＳＣＨで伝送される。非周期的にフィードバックされるＣＱＩ/ＰＭＩ、ＲＩの場合、ＰＵＳＣＨのみで伝送され、また、同一のサブフレームにて周期的及び非周期的なＣＳＩを同時にフィードバックする必要があると、非周期ＣＳＩのみをフィードバックし、周期ＣＳＩはフィードバックしないと規定した。
【０００６】
高級国際電気通信連合（International  Telecommunication  Union-Advanced、以下ＩＴＵ−Ａｄｖａｎｃｅｄと略称）の要請を満たすため、ＬＴＥの進化基準としての高級長期進化（Long  Term  Evolution  Advanced、以下ＬＴＥ−Ａと略称）システムは更に大きいシステム帯域幅（最高１００ＭＨｚ）を支援しなければならず、ＬＴＥの既存標準との後方互換性を有しなければならない。既存のＬＴＥシステムに基づいて、ＬＴＥシステムの帯域幅を合併して更に大きい帯域幅を得ることができ、このような技術がキャリアアグリゲーション（Carrier  Aggregation、以下ＣＡと略称）技術と呼ばれ、該技術によると、ＩＭＴ−Ａｄｖａｎｃｅシステムのスペクトル利用率を向上し、スペクトルリソースの不足を緩和し、スペクトルリソースの利用を最適化することができる。
【０００７】
スペクトルアグリーゲーション技術を利用した後のＬＴＥ−Ａシステムにおいて、アップリンク帯域幅とダウンリンク帯域幅は複数のコンポーネントキャリアを含むことができる。基地局が複数のダウンリンクコンポーネントキャリアにいずれもＵＥにスケジューリングしたＰＤＳＣＨを有し、且つ、ＵＥの現在のサブフレームにＰＵＳＣＨ伝送がない場合、端末装置はＰＵＣＣＨで該複数のダウンリンクコンポーネントキャリアの物理ダウンリンク制御チャネル（Physical  Downlink  Control  Channel、以下ＰＤＳＣＨと略称）により伝送されるＡＣＫ/ＮＡＣＫ応答メッセージをフィードバックしなければならない。現在、関連技術において、これらのＡＣＫ/ＮＡＣＫ応答メッセージがユーザ機器固有（UE-specific）のアップリンクコンポーネントキャリアで送信されると仮定する。ＳＲ情報について、ＵＥが一つのＳＲのみを送信し、当該ＳＲ情報がＵＥ−ｓｐｅｃｉｆｉｃのアップリンクコンポーネントキャリアで送信されるとし、周期ＣＳＩ情報について、現在のジョブがＣＳＩ情報をＵＥ−ｓｐｅｃｉｆｉｃのアップリンクコンポーネントキャリアを介して送信することであるとする。上記ジョブの仮定において、最高で１アップリンクコンポーネントキャリアでＰＵＣＣＨを送信可能である。
【０００８】
しかし、ＬＴＥ−Ａシステムはアップリンクの単一搬送波性についての要請を緩めて、ＰＵＣＣＨとＰＵＳＣＨの同時送信を許可した。キャリアアグリゲーションの導入によって、同時に複数のキャリアでＰＵＳＣＨを送信することができる。従って、同一のキャリアでのＰＵＳＣＨとＰＵＣＣＨの同時送信、異なるキャリアでのＰＵＣＣＨとＰＵＳＣＨの同時送信などの様々な場合があり得る。この場合、関連技術において、アップリンク制御シグナリングを如何に送信するかを開示していないので、現在のＬＴＥ−Ａシステムにおいて、基地局と端末装置はアップリンク制御シグナリングがどこで送信されるかについて同一の理解を得ることができず、アップリンク制御シグナリングを正確に処理することができない。
【発明の概要】
【発明が解決しようとする課題】
【０００９】
本発明は、上記問題を解決できるアップリンク制御シグナリングのフィードバック処理方法を提供することを目的とする。
【課題を解決するための手段】
【００１０】
本発明の一態様によると、基地局が端末装置に、前記端末装置が物理アップリンク制御チャネルＰＵＣＣＨ及び/又は物理アップリンク共有チャネルＰＵＳＣＨでアップリンク制御シグナリングを送信する方式を指示するアップリンク制御シグナリングのフィードバックモードを配置し、前記端末装置が前記フィードバックモードに従ってアップリンク制御シグナリングを送信するステップを含むアップリンク制御シグナリングのフィードバック処理方法を提供する。
【００１１】
前記フィードバックモードが、ＰＵＣＣＨとＰＵＳＣＨの同時送信を許可し、アップリンク制御シグナリングを前記ＰＵＣＣＨで送信するモードを含み、その中、前記アップリンク制御シグナリングが肯定/否定ＡＣＫ/ＮＡＣＫ応答メッセージ、スケジューリング要請、周期的チャネル状態情報の中の少なくとも一つを含むことが好ましい。
【００１２】
前記アップリンク制御シグナリングがＡＣＫ/ＮＡＣＫ応答メッセージ、スケジューリング要請又は周期的チャネル状態情報の中の少なくとも２種類を含む場合、前記ＰＵＣＣＨで再利用する方式で前記アップリンク制御シグナリングを送信することが好ましい。
【００１３】
ＰＵＳＣＨに対応するダウンリンク制御情報が非周期的チャネル状態情報の制御領域の有効化（enable）をトリガーした場合、前記アップリンク制御シグナリングが周期的チャネル状態情報を含まないと、前記非周期的チャネル状態情報を対応するＰＵＳＣＨで送信し、前記アップリンク制御シグナリングが周期的チャネル状態情報を含み、周期的状態情報が示すダウンリンクコンポーネントキャリアのチャネル状態情報を前記非周期的チャネル状態情報が含むと、前記非周期的チャネル状態情報を対応するＰＵＳＣＨで送信し、同時に周期的チャネル状態情報は送信せず、前記アップリンク制御シグナリングが周期的チャネル状態情報を含み、周期状態情報が示すダウンリンクコンポーネントキャリアのチャネル状態情報を前記非周期的チャネル状態情報が含まないと、前記非周期的チャネル状態情報を対応するＰＵＳＣＨで送信し、前記周期的チャネル状態情報をＰＵＣＣＨで送信し、又は、前記周期的チャネル状態情報と前記非周期的チャネル状態情報を新しいチャネル状態情報レポートに組合せて、前記新しいチャネル状態情報を送信しようとする前記非周期的チャネル状態情報をトリガーしたダウンリンク制御情報に対応するＰＵＳＣＨで送信することが好ましい。
【００１４】
前記フィードバックモードが、ＰＵＣＣＨとＰＵＳＣＨの同時送信を許可し、アップリンク制御シグナリングをＰＵＣＣＨとＰＵＳＣＨで送信するモードを含み、その中、前記アップリンク制御シグナリングがＡＣＫ/ＮＡＣＫ応答メッセージ、スケジューリング要請、周期的チャネル状態情報の中の少なくとも一つを含むことが好ましい。
【００１５】
前記アップリンク制御シグナリングがＡＣＫ/ＮＡＣＫ応答メッセージ、スケジューリング要請、周期的チャネル状態情報の中の一つのみを含むと、又は、ＡＣＫ/ＮＡＣＫ応答メッセージとスケジューリング要請を含むと、前記ＰＵＣＣＨで送信することが好ましい。
【００１６】
前記アップリンク制御シグナリングが周期的チャネル状態情報と、ＡＣＫ/ＮＡＣＫ応答メッセージ及びスケジューリング要請の中の少なくとも一つを含むと、前記ＡＣＫ/ＮＡＣＫ応答メッセージと前記スケジューリング要請の中の少なくとも一つを前記ＰＵＣＣＨで送信し、前記周期的チャネル状態情報を前記ＰＵＳＣＨで送信することが好ましい。
【００１７】
前記周期的チャネル状態情報をＰＵＳＣＨで送信することが、ＰＵＳＣＨを送信しようとするアップリンクコンポーネントキャリアがアップリンクメインコンポーネントキャリアを含む場合、前記周期的チャネル状態情報を前記アップリンクメインコンポーネントキャリアに対応するＰＵＳＣＨで送信し、ＰＵＳＣＨを送信しようとするアップリンクコンポーネントキャリアがアップリンクメインコンポーネントキャリアを含まない場合、前記周期的チャネル状態情報を搬送波周波数が最高又は最低であるアップリンクコンポーネントキャリアに対応するＰＵＳＣＨで送信し、前記周期的チャネル状態情報をアップリンクメインコンポーネントキャリアと予め設定した関係を満たすアップリンクコンポーネントキャリアに対応するＰＵＳＣＨで送信し、前記周期的チャネル状態情報を上位階層から配置されたアップリンクコンポーネントキャリアに対応するＰＵＳＣＨで送信し、前記周期的チャネル状態情報をキャリアインデックスが最大又は最小であるアップリンクコンポーネントキャリアに対応するＰＵＳＣＨで送信する方式の中の一つによって前記アップリンク制御シグナリングを送信することが好ましい。
【００１８】
前記ＰＵＣＣＨと前記ＰＵＳＣＨが位置するキャリアが同一のキャリア又は異なるキャリアであることが好ましい。
【００１９】
前記フィードバックモードが、ＰＵＣＣＨとＰＵＳＣＨの同時送信を許可せず、アップリンク制御シグナリングをＰＵＳＣＨで送信し、同時にＰＵＣＣＨは送信しないモードを含むことが好ましい。
【００２０】
前記アップリンク制御シグナリングをＰＵＳＣＨで送信することが、ＰＵＳＣＨを送信しようとするアップリンクコンポーネントキャリアがアップリンクメインコンポーネントキャリアを含む場合、前記アップリンク制御情報を前記アップリンクメインコンポーネントキャリアに対応するＰＵＳＣＨで送信し、ＰＵＳＣＨを送信しようとするアップリンクコンポーネントキャリアがアップリンクメインコンポーネントキャリアを含まない場合、前記アップリンク制御シグナリングを搬送波周波数が最高又は最低であるアップリンクコンポーネントキャリアに対応するＰＵＳＣＨで送信し、前記アップリンク制御シグナリングをアップリンクメインコンポーネントキャリアと予め設定した関係を満たすアップリンクコンポーネントキャリアに対応するＰＵＳＣＨで送信し、前記アップリンク制御シグナリングを上位階層から配置されたアップリンクコンポーネントキャリアに対応するＰＵＳＣＨで送信し、前記アップリンク制御シグナリングをキャリアインデックスが最大又は最小であるアップリンクコンポーネントキャリアに対応するＰＵＳＣＨで送信する方式の中の一つによって前記アップリンク制御シグナリングを送信することが好ましい。
【００２１】
ＰＵＳＣＨに対応するダウンリンク制御情報が非周期的チャネル状態情報の制御領域の有効化をトリガーした場合、前記アップリンク制御シグナリングが周期的チャネル状態情報を含まないと、前記非周期的チャネル状態情報を対応するＰＵＳＣＨで送信し、前記アップリンク制御シグナリングが周期的チャネル状態情報を含み、且つ前記周期的チャネル状態情報が示すダウンリンクコンポーネントキャリアのチャネル状態情報を前記非周期的チャネル状態情報が含まないと、前記周期的チャネル状態情報と前記非周期的チャネル状態情報を新しいチャネル状態情報レポートに組合せて、前記新しいチャネル状態情報を送信しようとする前記非周期的チャネル状態情報をトリガーしたダウンリンク制御情報に対応するＰＵＳＣＨで送信し、前記アップリンク制御シグナリングが周期的チャネル状態情報を含み、且つ前記周期的チャネル状態情報が示すダウンリンクコンポーネントキャリアのチャネル状態情報を前記非周期的チャネル状態情報が含むと、前記非周期的チャネル状態情報を送信しようとする前記非周期的チャネル状態情報をトリガーしたダウンリンク制御情報に対応するＰＵＳＣＨで送信し、前記周期的チャネル状態情報は送信しない。
【００２２】
本発明の他の一態様によると、端末装置に、前記端末装置がＰＵＣＣＨ及び/又はＰＵＳＣＨでアップリンク制御シグナリングを送信する方式を指示するアップリンク制御シグナリングのフィードバックモードを配置する基地局と、前記フィードバックモードに従ってアップリンク制御シグナリングを送信する端末装置と、を含むアップリンク制御シグナリングフィードバック処理システムを提供する。
【００２３】
前記基地局が前記端末装置に配置した前記フィードバックモードが、ＰＵＣＣＨとＰＵＳＣＨの同時送信を許可し、アップリンク制御シグナリングを前記ＰＵＣＣＨで送信するモードを含み、その中、前記アップリンク制御シグナリングがＡＣＫ/ＮＡＣＫ応答メッセージ、スケジューリング要請、周期的チャネル状態情報の中の少なくとも一つを含むことが好ましい。
【００２４】
前記基地局が前記端末装置に配置した前記フィードバックモードが、ＰＵＣＣＨとＰＵＳＣＨの同時送信を許可し、アップリンク制御シグナリングを前記ＰＵＣＣＨと前記ＰＵＳＣＨで送信するモードを含み、その中、前記アップリンク制御シグナリングがＡＣＫ/ＮＡＣＫ応答メッセージ、スケジューリング要請、周期的チャネル状態情報の中の少なくとも一つを含むことが好ましい。
【００２５】
前記基地局が前記端末装置に配置した前記フィードバックモードが、ＰＵＣＣＨとＰＵＳＣＨの同時送信を許可せず、アップリンク制御シグナリングをＰＵＳＣＨで送信し、同時にＰＵＣＣＨは送信しないモードを含むことが好ましい。
【発明の効果】
【００２６】
本発明によると、基地局が端末装置にアップリンク制御シグナリングのフィードバックモードを配置し、その中、前記フィードバックモードは前記端末装置が物理アップリンク制御チャネルＰＵＣＣＨ及び/又は物理アップリンク共有チャネルＰＵＳＣＨでアップリンク制御シグナリングを送信する方式を指示するものであって、前記端末装置が前記フィードバックモードに従ってアップリンク制御シグナリングを送信する。関連技術においてアップリンク制御シグナリングを如何に送信するかを開示していないせいにアップリンク制御シグナリングに正確な処理を行うことができない問題を解決し、基地局がアップリンク制御シグナリングを正確に復調することができる。
【図面の簡単な説明】
【００２７】
ここで説明する図面は本発明を理解するためのもので、本発明の一部を構成し、本発明における実施例と共に本発明を解釈し、本発明を不当に限定するものではない。
【図１】本発明の実施例に係るアップリンク制御シグナリングのフィードバック処理方法を示すフローチャートである。
【図２】本発明の実施例に係るアップリンク制御シグナリングのフィードバックモード１を示す図である。
【図３】本発明の実施例に係るアップリンク制御シグナリングのフィードバックモード１を示すその他の図である。
【図４】本発明の実施例に係るアップリンク制御シグナリングのフィードバックモード１を示すその他の図である。
【図５】本発明の実施例に係るアップリンク制御シグナリングのフィードバックモード１を示すその他の図である。
【図６】本発明の実施例に係るアップリンク制御シグナリングのフィードバックモード２を示す図である。
【図７】本発明の実施例に係るアップリンク制御シグナリングのフィードバックモード２を示すその他の図である。
【図８】本発明の実施例に係るアップリンク制御シグナリングのフィードバックモード２を示すその他の図である。
【図９】本発明の実施例に係るアップリンク制御シグナリングのフィードバックモード２を示すその他の図である。
【図１０】本発明の実施例に係るアップリンク制御シグナリングのフィードバックモード２を示すその他の図である。
【図１１】本発明の実施例に係るアップリンク制御シグナリングのフィードバックモード３を示す図である。
【図１２】本発明の実施例に係るアップリンク制御シグナリングのフィードバックモード３を示すその他の図である。
【図１３】本発明の実施例に係るアップリンク制御シグナリングのフィードバックモード３を示すその他の図である。
【図１４】本発明の実施例に係るアップリンク制御シグナリングのフィードバックモード３を示すその他の図である。
【発明を実施するための形態】
【００２８】
以下、図面を参照しつつ実施例を結合して本発明を詳しく説明する。ここで、互いに矛盾しない限り、本願に記載の実施例及び実施例に記載の特徴を互いに組み合わせることができる。
【００２９】
本実施例において、アップリンク制御シグナリングのフィードバック処理方法を提供し、図１は、本発明の実施例に係るアップリンク制御シグナリングのフィードバック処理方法を示すフローチャートである。図１に示すように、以下のステップを含む。
【００３０】
基地局は端末装置にアップリンク制御シグナリングのフィードバックモードを配置し（ステップＳ１０２）、その中、該フィードバックモードは、端末装置が物理アップリンク制御チャネルＰＵＣＣＨ及び/又は物理アップリンク共有チャネルＰＵＳＣＨでアップリンク制御シグナリングを送信する方式を指示するものである。
【００３１】
端末装置はフィードバックモードに従ってアップリンク制御シグナリングを送信する（ステップＳ１０４）。
【００３２】
上記ステップによって、基地局が端末装置にアップリンク制御シグナリングのフィードバックモードを配置し、端末装置が基地局の配置に従ってアップリンク制御シグナリングを送信することができ、アップリンク制御シグナリングをどこで送信するかに対し基地局と端末装置が同一の理解を得ることになり、基地局と端末装置がアップリンク制御シグナリングを正確に処理することができる。
【００３３】
本実施例において、アップリンク制御シグナリングのフィードバック処理システムを提供し、該システムは、基地局と、端末装置と、を含み、基地局は端末装置にアップリンク制御シグナリングのフィードバックモードを配置し、その中、フィードバックモードは端末装置がＰＵＣＣＨ及び/又はＰＵＳＣＨでアップリンク制御シグナリングを送信する方式を指示するもので、端末装置はフィードバックモードに従ってアップリンク制御シグナリングを送信する。
【００３４】
該フィードバックモードが、ＰＵＣＣＨとＰＵＳＣＨの同時送信を許可し、アップリンク制御シグナリングをＰＵＣＣＨで送信するモードを含み、その中、アップリンク制御シグナリングは、ＡＣＫ/ＮＡＣＫ応答メッセージ、スケジューリング要請、周期的チャネル状態情報の中の少なくとも一つを含むことが好ましい。
【００３５】
当該フィードバックモードが、ＰＵＣＣＨとＰＵＳＣＨの同時送信を許可し、アップリンク制御シグナリングをＰＵＣＣＨとＰＵＳＣＨで送信するモードを含み、その中、アップリンク制御シグナリングが、ＡＣＫ/ＮＡＣＫ応答メッセージ、スケジューリング要請、周期的チャネル状態情報の中の少なくとも一つを含むことが好ましい。
【００３６】
当該フィードバックモードが、ＰＵＣＣＨとＰＵＳＣＨの同時送信を許可せず、アップリンク制御シグナリングをＰＵＳＣＨで送信し、同時にＰＵＣＣＨは送信しないモードを含むことが好ましい。
【００３７】
実施例１
本実施例において、大帯域幅においてマルチキャリアシステムにおけるアップリンク制御シグナリングの送信方法を提供し、本実施例によって、ＰＵＣＣＨとＰＵＳＣＨで同時送信する場合、アップリンク制御シグナリングをどこで送信するかの問題を解決する。当該方法は、基地局が端末装置にアップリンク制御シグナリングのフィードバックモードを配置し、端末装置が基地局から指示されたフィードバックモードに従ってアップリンク制御シグナリングを送信するステップを含む。以下フィードバックモードを説明する。
【００３８】
モード１
ＰＵＣＣＨとＰＵＳＣＨの同時送信を許可し、且つすべてのアップリンク制御シグナリングをＰＵＣＣＨで送信する。
【００３９】
モード１の場合、ＰＵＣＣＨとＰＵＳＣＨが位置するアップリンクキャリアが同一のキャリアであることができれば、異なるキャリアであることもでき、アップリンク制御シグナリングがＡＣＫ/ＮＡＣＫ応答メッセージ、スケジューリング要請、周期的チャネル状態情報の中の一つ又は複数であることが好ましい。
【００４０】
モード１の場合、アップリンク制御シグナリングがＡＣＫ/ＮＡＣＫ応答メッセージ、スケジューリング要請、周期的チャネル状態情報の中の一つのみを含む場合、アップリンク制御シグナリングをＰＵＣＣＨで送信することが好ましい。
【００４１】
モード１の場合、アップリンク制御シグナリングがＡＣＫ/ＮＡＣＫ応答メッセージ、スケジューリング要請ＳＲ、周期的チャネル状態情報ＣＳＩの中の複数を含む場合、複数種類のアップリンク制御シグナリングをＰＵＣＣＨで再利用する際の方法でアップリンク制御シグナリングを送信することが好ましい。
【００４２】
モード１の場合、ＰＵＳＣＨに対応するダウンリンク制御情報（Downlink  Control  Information、以下ＤＣＩと略称）の中の一つが非周期ＣＳＩの制御領域の有効化をトリガーした場合、非周期ＣＳＩを対応するＰＵＳＣＨで送信することが好ましい。その中、アップリンク制御シグナリングが周期ＣＳＩを含み、周期ＣＳＩが示すダウンリンクコンポーネントキャリアのＣＳＩを非周期ＣＳＩが含む場合、非周期ＣＳＩを対応するＰＵＳＣＨで送信し、同時に周期ＣＳＩは送信しない。アップリンク制御シグナリングが周期ＣＳＩを含み、周期ＣＳＩが示すダウンリンクコンポーネントキャリアのＣＳＩを非周期ＣＳＩが含まない場合、非周期ＣＳＩを対応するＰＵＳＣＨで送信し、周期ＣＳＩをＰＵＣＣＨで送信し、又は、周期ＣＳＩと非周期ＣＳＩを予め約定された方式で新しいＣＳＩレポートに組合せて、送信しようとする非周期ＣＳＩをトリガーしたＤＣＩに対応するＰＵＳＣＨで送信する。
【００４３】
モード２
ＰＵＣＣＨとＰＵＳＣＨの同時送信を許可し、一部のアップリンク制御シグナリングをＰＵＣＣＨで送信し、他の一部のアップリンク制御シグナリングをＰＵＳＣＨで送信する。
【００４４】
モード２の場合、ＰＵＣＣＨとＰＵＳＣＨが位置するアップリンクキャリアが同一のキャリアであることができれば、異なるキャリアであることもでき、アップリンク制御シグナリングがＡＣＫ/ＮＡＣＫ応答メッセージ、スケジューリング要請、周期的チャネル状態情報の中の一つ又は複数を含むことが好ましい。
【００４５】
モード２の場合、アップリンク制御シグナリングがＡＣＫ/ＮＡＣＫ応答メッセージ、スケジューリング要請、周期的チャネル状態情報の中の一つのみを含み、又はＡＣＫ/ＮＡＣＫ応答メッセージとスケジューリング要請ＳＲのみを含む場合、アップリンク制御シグナリングをＰＵＣＣＨで送信することが好ましい。
【００４６】
モード２の場合、アップリンク制御シグナリングがＡＣＫ/ＮＡＣＫ応答メッセージ、スケジューリング要請ＳＲ、周期的チャネル状態情報ＣＳＩの中の複数を含む場合、ＡＣＫ/ＮＡＣＫ応答メッセージ及び/又はスケジューリング要請ＳＲをＰＵＣＣＨで送信し、周期ＣＳＩをＰＵＳＣＨで送信し、ＰＵＳＣＨが位置するアップリンクコンポーネントキャリアがアップリンクメインコンポーネントキャリア（Uplink  Primary  Component  Carrier、以下ＵＬ  ＰＣＣと略称）を含む場合、周期ＣＳＩをアップリンクメインコンポーネントキャリアに対応するＰＵＳＣＨで送信し、ＰＵＳＣＨが位置するアップリンクコンポーネントキャリアがアップリンクメインコンポーネントキャリアを含まない場合、次の方式の中の一つによって周期ＣＳＩを送信する。
方式１：周期ＣＳＩを搬送波周波数が最高又は最低であるアップリンクコンポーネントキャリアに対応するＰＵＳＣＨで送信する。
方式２：周期ＣＳＩをアップリンクメインコンポーネントキャリアと予め設定された関係を満たすアップリンクコンポーネントキャリアに対応するＰＵＳＣＨで送信する。
方式３：周期ＣＳＩを上位階層から配置されたアップリンクコンポーネントキャリアに対応するＰＵＳＣＨで送信する。
方式４：周期ＣＳＩをキャリアのインデックスが最小又は最大であるアップリンクコンポーネントキャリアに対応するＰＵＳＣＨで送信する。
【００４７】
モード２の場合、ＰＵＳＣＨに対応するダウンリンク制御情報の中の一つが非周期ＣＳＩの制御領域の有効化をトリガーした場合、アップリンク制御シグナリングが周期ＣＳＩを含み、且つ周期ＣＳＩが示すダウンリンクコンポーネントキャリアのチャネル状態情報を非周期ＣＳＩが含まない場合、周期ＣＳＩと非周期ＣＳＩを約定した方式で新しいＣＳＩレポートに組合せて、送信しようとする非周期ＣＳＩをトリガーしたＤＣＩに対応するＰＵＳＣＨで送信し、周期ＣＳＩが示すダウンリンクコンポーネントキャリアのＣＳＩを非周期ＣＳＩが含む場合、非周期ＣＳＩを送信しようとする非周期ＣＳＩをトリガーしたＤＣＩに対応するＰＵＳＣＨで送信し、周期ＣＳＩは送信しないことが好ましい。
【００４８】
モード３
ＰＵＣＣＨとＰＵＳＣＨの同時送信を許可せず、アップリンク制御シグナリングをＰＵＳＣＨで送信し、同時にＰＵＣＣＨは送信しない。
【００４９】
モード３の場合、ＰＵＳＣＨを複数のアップリンクコンポーネントキャリアで送信し、且つ、その中の一つのＰＵＳＣＨが位置するコンポーネントキャリアがアップリンクメインコンポーネントキャリアである場合、アップリンク制御シグナリングをＵＬ  ＰＣＣに対応するＰＵＳＣＨで送信することが好ましい。
【００５０】
モード３の場合、ＰＵＳＣＨを複数のアップリンクコンポーネントキャリアで送信し、且つＰＵＳＣＨが位置するコンポーネントキャリアがアップリンクメインコンポーネントキャリアではない場合、アップリンク制御シグナリングを次の方式の中の一つによって送信する。
方式１：アップリンク制御シグナリングを搬送波周波数が最高又は最低であるアップリンクコンポーネントキャリアに対応するＰＵＳＣＨで送信する。
方式２：アップリンク制御シグナリングをアップリンクメインコンポーネントキャリアと予め設定した関係を満たすアップリンクコンポーネントキャリアに対応するＰＵＳＣＨで送信する。
方式３：アップリンク制御シグナリングを上位階層から配置されたアップリンクコンポーネントキャリアに対応するＰＵＳＣＨで送信する。
方式４：アップリンク制御シグナリングをキャリアインデックスが最小又は最大であるアップリンクコンポーネントキャリアに対応するＰＵＳＣＨで送信する。
【００５１】
モード３の場合、アップリンク制御シグナリングが、ＡＣＫ/ＮＡＣＫ応答メッセージと周期ＣＳＩの中の一つ又は複数を含むことが好ましい。
【００５２】
モード３の場合、ＰＵＳＣＨに対応するダウンリンク制御情報の中の一つが非周期ＣＳＩの制御領域の有効化をトリガーした場合、アップリンク制御シグナリングが周期ＣＳＩを含み、且つ周期ＣＳＩが示すダウンリンクコンポーネントキャリアのチャネル状態情報を非周期ＣＳＩが含まない場合、周期ＣＳＩと非周期ＣＳＩは約定した方式で新しいＣＳＩレポートに組合せて、送信しようとする非周期ＣＳＩをトリガーしたＤＣＩに対応するＰＵＳＣＨで送信し、周期ＣＳＩが示す同一のダウンリンクコンポーネントキャリアのＣＳＩを非周期ＣＳＩが含む場合、非周期ＣＳＩを送信しようとする非周期ＣＳＩをトリガーしたＤＣＩに対応するＰＵＳＣＨで送信し、周期ＣＳＩは送信しない。
【００５３】
本実施例によるアップリンク制御シグナリングのフィードバック制御モードによると、基地局が端末装置にアップリンク制御シグナリングのフィードバックモードを配置し、端末装置が基地局から指示されたフィードバックモードに従ってアップリンク制御シグナリングを送信することによって、基地局が正確なアップリンクコンポーネントキャリアの対応するチャネルにおいてアップリンク制御シグナリングを復調することができる。
【００５４】
実施例２
本実施例において、１、非周期ＣＳＩのフィードバックがない、２、非周期ＣＳＩのフィードバックがあるが、非周期フィードバックが周期的にフィードバックしたＤＬ  ＣＣを含まない、３、非周期ＣＳＩのフィードバックがあって、非周期ＣＳＩのフィードバックが周期ＣＳＩのＤＬ  ＣＣを含む、などの三つの好適な形態を提供する。
【００５５】
本実施例において、基地局が端末装置にモード１でアップリンク制御シグナリングをフィードバックするように配置する。
【００５６】
好適な実施形態１
図２に示すように、アップリンクサブコンポーネントキャリアＵＬ  ＳＣＣ１（Uplink  Secondary  Component  Carrier、以下ＳＣＣと略称、ＰＣＣを除く他のＣＣはいずれもＳＣＣである）と、ＵＬ  ＳＣＣ２と、ＵＬ  ＰＣＣはいずれも送信しようとするＰＵＳＣＨがあって、フィードバックモード１に基づいて、端末装置はＰＵＣＣＨとＰＵＳＣＨの同時送信を許可し、且つすべてのアップリンク制御シグナリングをすべてＰＵＣＣＨで送信する。
【００５７】
アップリンク制御シグナリングがＡＣＫ/ＮＡＣＫ応答メッセージであると、ＡＣＫ/ＮＡＣＫ応答メッセージをＰＵＣＣＨで送信する。アップリンク制御シグナリングがスケジューリング要請ＳＲであると、スケジューリング要請ＳＲをＰＵＣＣＨで送信する。アップリンク制御シグナリングが周期ＣＳＩであると、周期ＣＳＩをＰＵＣＣＨで送信する。
【００５８】
アップリンク制御シグナリングがＡＣＫ/ＮＡＣＫ応答メッセージとＳＲであると、ＳＲとＡＣＫ/ＮＡＣＫをＰＵＣＣＨで再利用する方法でアップリンク制御シグナリングを送信する。アップリンク制御シグナリングがＡＣＫ/ＮＡＣＫ応答メッセージと周期ＣＳＩであると、周期ＣＳＩとＡＣＫ/ＮＡＣＫをＰＵＣＣＨで再利用する方法でアップリンク制御シグナリングを送信する。アップリンク制御シグナリングが周期ＣＳＩとスケジューリング要請ＳＲであると、ＳＲと周期ＣＳＩをＰＵＣＣＨで再利用する方法でアップリンク制御シグナリングを送信する。
【００５９】
好適な実施形態２
図３、４に示すように、ＵＬ  ＳＣＣ１と、ＵＬ  ＳＣＣ２と、ＵＬ  ＰＣＣにいずれも送信しようとするＰＵＳＣＨがあって、且つＵＬ  ＳＣＣ１に対応するＤＣＩの非周期ＣＳＩの制御領域がＤＬ  ＳＣＣ１の非周期ＣＳＩのフィードバックをトリガーした場合、フィードバックモード１に従って、端末装置はＰＵＣＣＨとＰＵＳＣＨの同時送信を許可し、且つすべてのアップリンク制御シグナリングをいずれもＰＵＣＣＨで送信する。
【００６０】
アップリンク制御シグナリングがＡＣＫ/ＮＡＣＫ応答メッセージであると、ＡＣＫ/ＮＡＣＫ応答メッセージをＰＵＣＣＨで送信し、ＤＬ  ＳＣＣ１の非周期ＣＳＩをＵＬ  ＳＣＣ１のＰＵＳＣＨで送信する。アップリンク制御シグナリングがスケジューリング要請ＳＲであると、スケジューリング要請ＳＲをＰＵＣＣＨで送信し、ＤＬ  ＳＣＣ１の非周期ＣＳＩをＵＬ  ＳＣＣ１のＰＵＳＣＨで送信する。アップリンク制御シグナリングがＤＬ  ＰＣＣの周期ＣＳＩであると、ＤＬ  ＰＣＣの周期ＣＳＩをＰＵＣＣＨで送信し、ＤＬ  ＳＣＣ１の非周期ＣＳＩをＵＬ  ＳＣＣ１のＰＵＳＣＨで送信し、又はＤＬ  ＰＣＣの周期ＣＳＩとＤＬ  ＳＣＣ１の非周期ＣＳＩを約定した方式で新しいＣＳＩレポートに組み合わせて、ＵＬ  ＳＣＣ１のＰＵＳＣＨで送信する。
【００６１】
アップリンク制御シグナリングがＡＣＫ/ＮＡＣＫ応答メッセージとＳＲであると、ＳＲとＡＣＫ/ＮＡＣＫをＰＵＣＣＨで再利用する方法でアップリンク制御シグナリングを送信し、ＤＬ  ＳＣＣ１の非周期ＣＳＩをＵＬ  ＳＣＣ１のＰＵＳＣＨで送信する。アップリンク制御シグナリングがＡＣＫ/ＮＡＣＫ応答メッセージとＤＬ  ＰＣＣの周期ＣＳＩであると、周期ＣＳＩとＡＣＫ/ＮＡＣＫをＰＵＣＣＨで再利用する方法でアップリンク制御シグナリングを送信し、ＤＬ  ＳＣＣ１の非周期ＣＳＩをＵＬ  ＳＣＣ１のＰＵＳＣＨで送信する。アップリンク制御シグナリングが周期ＣＳＩとスケジューリング要請ＳＲであると、ＳＲと周期ＣＳＩをＰＵＣＣＨで再利用する方法でアップリンク制御シグナリングを送信し、ＤＬ  ＳＣＣ１の非周期ＣＳＩをＵＬ  ＳＣＣ１のＰＵＳＣＨで送信する。
【００６２】
好適な実施形態３
図５に示すように、ＵＬ  ＳＣＣ１と、ＵＬ  ＳＣＣ２と、ＵＬ  ＰＣＣにいずれも送信しようとするＰＵＳＣＨがあって、且つＵＬ  ＳＣＣ１に対応するＤＣＩの非周期ＣＳＩの制御領域がＤＬ  ＰＣＣとＤＬ  ＳＣＣ１の非周期ＣＳＩのフィードバックをトリガーした場合、フィードバックモード１に従って、端末装置はＰＵＣＣＨとＰＵＳＣＨの同時送信を許可し、且つすべてのアップリンク制御シグナリングをＰＵＣＣＨで送信する。
【００６３】
アップリンク制御シグナリングがＡＣＫ/ＮＡＣＫ応答メッセージであると、ＡＣＫ/ＮＡＣＫ応答メッセージをＰＵＣＣＨで送信し、ＤＬ  ＰＣＣとＤＬ  ＳＣＣ１の非周期ＣＳＩをＵＬ  ＳＣＣ１のＰＵＳＣＨで送信する。アップリンク制御シグナリングがスケジューリング要請ＳＲであると、スケジューリング要請ＳＲをＰＵＣＣＨで送信し、ＤＬ  ＰＣＣとＤＬ  ＳＣＣ１の非周期ＣＳＩをＵＬ  ＳＣＣ１のＰＵＳＣＨで送信する。アップリンク制御シグナリングがＤＬ  ＰＣＣの周期ＣＳＩである場合、非周期のＣＳＩレポートがＤＬ  ＰＣＣを含むので、ＤＬ  ＰＣＣとＤＬ  ＳＣＣ１の非周期ＣＳＩをＵＬ  ＳＣＣ１のＰＵＳＣＨで送信し、ＤＬ  ＰＣＣの周期ＣＳＩは送信しない。
【００６４】
アップリンク制御シグナリングがＡＣＫ/ＮＡＣＫ応答メッセージとＳＲであると、ＳＲとＡＣＫ/ＮＡＣＫをＰＵＣＣＨで再利用する方法でアップリンク制御シグナリングを送信し、ＤＬ  ＰＣＣとＤＬ  ＳＣＣ１の非周期ＣＳＩをＵＬ  ＳＣＣ１のＰＵＳＣＨで送信する。アップリンク制御シグナリングがＡＣＫ/ＮＡＣＫ応答メッセージとＤＬ  ＰＣＣの周期ＣＳＩであると、非周期ＣＳＩレポートがＤＬ  ＰＣＣを含むので、ＡＣＫ/ＮＡＣＫをＰＵＣＣＨで送信し、ＤＬ  ＰＣＣとＤＬ  ＳＣＣ１の非周期ＣＳＩをＵＬ  ＳＣＣ１のＰＵＳＣＨで送信し、ＤＬ  ＰＣＣの周期ＣＳＩは送信しない。アップリンク制御シグナリングがＤＬ  ＰＣＣ周期ＣＳＩとスケジューリング要請ＳＲであると、非周期ＣＳＩレポートがＤＬ  ＰＣＣを含むので、ＳＲをＰＵＣＣＨで送信し、ＤＬ  ＰＣＣとＤＬ  ＳＣＣ１の非周期ＣＳＩをＵＬ  ＳＣＣ１のＰＵＳＣＨで送信し、ＤＬ  ＰＣＣの周期ＣＳＩは送信しない。
【００６５】
実施例３
本実施例において、１、非周期ＣＳＩのフィードバックがなく、ＰＣＣにＰＵＳＣＨ伝送がある、２、非周期ＣＳＩのフィードバックがなく、ＰＣＣにＰＵＳＣＨ伝送がない、３、非周期ＣＳＩのフィードバックがあるが、非周期フィードバックが周期的にフィードバックしたＤＬ  ＣＣを含まない、４、非周期ＣＳＩのフィードバックがあって、非周期ＣＳＩのフィードバックが周期ＣＳＩのＤＬ  ＣＣを含む、などの四つの好適な実施形態を提供する。
【００６６】
本実施例において、基地局は端末装置にモード２でアップリンク制御シグナリングをフィードバックするように配置する。
【００６７】
好適な実施形態１
図６に示すように、ＵＬ  ＳＣＣ１と、ＵＬ  ＳＣＣ２と、ＵＬ  ＰＣＣにいずれも送信しようとするＰＵＳＣＨがあって、フィードバックモード２に従って、端末装置はＰＵＣＣＨとＰＵＳＣＨの同時送信を許可し、且つ一部のアップリンク制御シグナリングをＰＵＣＣＨで送信し、他の一部のアップリンク制御シグナリングをＰＵＳＣＨで送信する。
【００６８】
アップリンク制御シグナリングがＡＣＫ/ＮＡＣＫ応答メッセージであると、ＡＣＫ/ＮＡＣＫ応答メッセージをＰＵＣＣＨで送信し、アップリンク制御シグナリングがスケジューリング要請ＳＲであると、スケジューリング要請ＳＲをＰＵＣＣＨで送信し、アップリンク制御シグナリングが周期ＣＳＩであると、周期ＣＳＩをＰＵＣＣＨで送信する。
【００６９】
アップリンク制御シグナリングがＡＣＫ/ＮＡＣＫ応答メッセージとＳＲであると、ＳＲとＡＣＫ/ＮＡＣＫをＰＵＣＣＨで再利用する方法でアップリンク制御シグナリングを送信する。アップリンク制御シグナリングがＡＣＫ/ＮＡＣＫ応答メッセージと周期ＣＳＩであると、ＡＣＫ/ＮＡＣＫ応答メッセージをＰＵＣＣＨで送信し、周期ＣＳＩをＵＬ  ＰＣＣのＰＵＳＣＨで送信する。アップリンク制御シグナリングがスケジューリング要請ＳＲと周期ＣＳＩであると、ＳＲをＰＵＣＣＨで送信し、周期ＣＳＩをＵＬ  ＰＣＣのＰＵＳＣＨで送信する。
【００７０】
好適な実施形態２
図７に示すように、ＵＬ  ＳＣＣ１とＵＬ  ＳＣＣ２にいずれも送信しようとするＰＵＳＣＨがあるが、ＵＬ  ＰＣＣには送信しようとするＰＵＳＣＨがなく、フィードバックモード２に従って、端末装置はＰＵＣＣＨとＰＵＳＣＨの同時送信を許可し、且つ一部のアップリンク制御シグナリングをＰＵＣＣＨで送信し、他の一部のアップリンク制御シグナリングをＰＵＳＣＨで送信し、且つＵＬ  ＳＣＣ１がＰＵＳＣＨを送信するＵＬ  ＣＣの中の搬送波周波数が最低であるＵＬ  ＣＣであるとする。
【００７１】
アップリンク制御シグナリングがＡＣＫ/ＮＡＣＫ応答メッセージであると、ＡＣＫ/ＮＡＣＫ応答メッセージをＰＵＣＣＨで送信し、アップリンク制御シグナリングがスケジューリング要請ＳＲであると、スケジューリング要請ＳＲをＰＵＣＣＨで送信し、アップリンク制御シグナリングが周期ＣＳＩであると、周期ＣＳＩをＰＵＣＣＨで送信する。
【００７２】
アップリンク制御シグナリングがＡＣＫ/ＮＡＣＫ応答メッセージとＳＲであると、ＳＲとＡＣＫ/ＮＡＣＫをＰＵＣＣＨで再利用する方法でアップリンク制御シグナリングを送信する。アップリンク制御シグナリングがＡＣＫ/ＮＡＣＫ応答メッセージと周期ＣＳＩであると、ＡＣＫ/ＮＡＣＫ応答メッセージをＰＵＣＣＨで送信し、周期ＣＳＩをＵＬ  ＳＣＣ１のＰＵＳＣＨで送信する。アップリンク制御シグナリングがスケジューリング要請ＳＲと周期ＣＳＩであると、ＳＲをＰＵＣＣＨで送信し、周期ＣＳＩをＵＬ  ＳＣＣ１のＰＵＳＣＨで送信する。
【００７３】
好適な実施形態３
図８に示すように、ＵＬ  ＳＣＣ１と、ＵＬ  ＳＣＣ２と、ＵＬ  ＰＣＣにいずれも送信しようとするＰＵＳＣＨがあって、図９に示すように、ＵＬ  ＳＣＣ１とＵＬ  ＳＣＣ２に送信しようとするＰＵＳＣＨがあって、図８と図９においてＵＬ  ＳＣＣ１に対応するＤＣＩの非周期ＣＳＩの制御領域がＤＬ  ＣＣ１の非周期ＣＳＩをトリガーし、フィードバックモード２に従って、端末装置はＰＵＣＣＨとＰＵＳＣＨの同時送信を許可し、且つ、一部のアップリンク制御シグナリングをＰＵＣＣＨで送信し、他の一部のアップリンク制御シグナリングをＰＵＳＣＨで送信する。
【００７４】
アップリンク制御シグナリングがＡＣＫ/ＮＡＣＫ応答メッセージであると、ＡＣＫ/ＮＡＣＫ応答メッセージをＰＵＣＣＨで送信し、ＤＬ  ＳＣＣ１の非周期ＣＳＩをＵＬ  ＳＣＣ１のＰＵＳＣＨで送信する。アップリンク制御シグナリングがスケジューリング要請ＳＲであると、スケジューリング要請ＳＲをＰＵＣＣＨで送信し、ＤＬ  ＳＣＣ１の非周期ＣＳＩをＵＬ  ＳＣＣ１のＰＵＳＣＨで送信する。アップリンク制御シグナリングがＤＬ  ＰＣＣの周期ＣＳＩであると、ＤＬ  ＰＣＣの周期ＣＳＩをＰＵＣＣＨで送信し、ＤＬ  ＳＣＣ１非周期ＣＳＩをＵＬ  ＳＣＣ１のＰＵＳＣＨで送信する。
【００７５】
アップリンク制御シグナリングがＡＣＫ/ＮＡＣＫ応答メッセージとＳＲであると、ＳＲとＡＣＫ/ＮＡＣＫをＰＵＣＣＨで再利用する方法でアップリンク制御シグナリングを送信し、ＤＬ  ＣＣ１の非周期ＣＳＩをＵＬ  ＳＣＣ１のＰＵＳＣＨで送信する。アップリンク制御シグナリングがＡＣＫ/ＮＡＣＫ応答メッセージとＤＬ  ＰＣＣの周期ＣＳＩであると、ＡＣＫ/ＮＡＣＫ応答メッセージをＰＵＣＣＨで送信し、ＤＬ  ＰＣＣの周期ＣＳＩとＤＬ  ＳＣＣ１の非周期ＣＳＩを約定した方式で新しいＣＳＩレポートに組み合わせてＵＬ  ＳＣＣ１のＰＵＳＣＨで送信する。アップリンク制御シグナリングがスケジューリング要請ＳＲとＤＬ  ＰＣＣの周期ＣＳＩであると、ＳＲをＰＵＣＣＨで送信し、ＤＬ  ＰＣＣの周期ＣＳＩとＤＬ  ＳＣＣ１の非周期ＣＳＩを約定した方式で新しいＣＳＩレポートに組み合わせてＵＬ  ＳＣＣ１のＰＵＳＣＨで送信する。
【００７６】
好適な実施形態４
図１０に示すように、ＵＬ  ＳＣＣ１とＵＬ  ＳＣＣ２にいずれも送信しようとするＰＵＳＣＨがあって、ＵＬ  ＳＣＣ１に対応するＤＣＩの非周期ＣＳＩの制御領域がＤＬ  ＰＣＣとＤＬ  ＳＣＣ１の非周期ＣＳＩをトリガーし、フィードバックモード２に従って、端末装置はＰＵＣＣＨとＰＵＳＣＨの同時送信を許可し、且つ、一部のアップリンク制御シグナリングをＰＵＣＣＨで送信し、他の一部のアップリンク制御シグナリングをＰＵＳＣＨで送信する。
【００７７】
アップリンク制御シグナリングがＡＣＫ/ＮＡＣＫ応答メッセージであると、ＡＣＫ/ＮＡＣＫ応答メッセージをＰＵＣＣＨで送信し、ＤＬ  ＰＣＣとＤＬ  ＳＣＣ１の非周期ＣＳＩをＵＬ  ＳＣＣ１のＰＵＳＣＨで送信する。アップリンク制御シグナリングがスケジューリング要請ＳＲであると、スケジューリング要請ＳＲをＰＵＣＣＨで送信し、ＤＬ  ＰＣＣとＤＬ  ＳＣＣ１の非周期ＣＳＩをＵＬ  ＳＣＣ１のＰＵＳＣＨで送信する。アップリンク制御シグナリングがＤＬ  ＰＣＣの周期ＣＳＩであると、非周期ＣＳＩがＤＬ  ＰＣＣを含むので、ＤＬ  ＰＣＣとＤＬ  ＳＣＣ１非周期ＣＳＩをＵＬ  ＳＣＣ１のＰＵＳＣＨで送信し、ＤＬ  ＰＣＣの周期ＣＳＩは送信しない。
【００７８】
アップリンク制御シグナリングがＡＣＫ/ＮＡＣＫ応答メッセージとＳＲであると、ＳＲとＡＣＫ/ＮＡＣＫをＰＵＣＣＨで再利用する方法でアップリンク制御シグナリングを送信し、ＤＬ  ＣＣ１の非周期ＣＳＩをＵＬ  ＳＣＣ１のＰＵＳＣＨで送信する。アップリンク制御シグナリングがＡＣＫ/ＮＡＣＫ応答メッセージとＤＬ  ＰＣＣの周期ＣＳＩであると、非周期ＣＳＩがＤＬ  ＰＣＣを含むので、ＡＣＫ/ＮＡＣＫ応答メッセージをＰＵＣＣＨで送信し、ＤＬ  ＰＣＣとＤＬ  ＳＣＣ１の非周期ＣＳＩをＵＬ  ＳＣＣ１のＰＵＳＣＨで送信し、ＤＬ  ＰＣＣの周期ＣＳＩは送信しない。アップリンク制御シグナリングがスケジューリング要請ＳＲとＤＬ  ＰＣＣの周期ＣＳＩであると、非周期ＣＳＩがＤＬ  ＰＣＣを含むので、ＳＲをＰＵＣＣＨで送信し、ＤＬ  ＰＣＣとＤＬ  ＳＣＣ１の非周期ＣＳＩをＵＬ  ＳＣＣ１のＰＵＳＣＨで送信し、ＤＬ  ＰＣＣの周期ＣＳＩは送信しない。
【００７９】
実施例４
本実施例において、１、非周期ＣＳＩがなく、ＵＬ  ＰＣＣにＰＵＳＣＨがある、２、非周期ＣＳＩがなく、ＵＬ  ＰＣＣにＰＵＳＣＨがない、３、非周期ＣＳＩがあるが、周期ＣＳＩのＤＬ  ＣＣを含まない、４、非周期ＣＳＩがあって、且つ周期ＣＳＩのＤＬ  ＣＣを含む、などの四つの好適な実施形態を提供する。
【００８０】
本実施例において、基地局は端末装置がモード３に従ってアップリンク制御シグナリングをフィードバックするように配置する。
【００８１】
好適な実施形態１
図１１に示すように、ＵＬ  ＳＣＣ１と、ＵＬ  ＳＣＣ２と、ＵＬ  ＰＣＣにいずれも送信しようとするＰＵＳＣＨがあって、フィードバックモード３に従って、端末装置はＰＵＣＣＨとＰＵＳＣＨの同時送信を許可せず、アップリンク制御シグナリングをＰＵＳＣＨで送信し、ＰＵＣＣＨは送信しない。
【００８２】
アップリンク制御シグナリングがＡＣＫ/ＮＡＣＫ応答メッセージであると、ＡＣＫ/ＮＡＣＫ応答メッセージをＵＬ  ＰＣＣに対応するＰＵＳＣＨで送信する。アップリンク制御シグナリングが周期ＣＳＩであると、周期ＣＳＩをＵＬ  ＰＣＣに対応するＰＵＳＣＨで送信する。アップリンク制御シグナリングがＡＣＫ/ＮＡＣＫ応答メッセージと周期ＣＳＩであると、ＡＣＫ/ＮＡＣＫ応答メッセージと周期ＣＳＩをＵＬ  ＰＣＣのＰＵＳＣＨで送信する。
【００８３】
好適な実施形態２
図１２に示すように、ＵＬ  ＳＣＣ１とＵＬ  ＳＣＣ２にいずれも送信しようとするＰＵＳＣＨがあって、ＵＬ  ＰＣＣには送信しようとするＰＵＳＣＨがなく、且つ、ＵＬ  ＳＣＣ１がＰＵＳＣＨを送信するＵＬ  ＣＣの中の搬送波周波数が最低であるＵＬ  ＣＣであるとすると、フィードバックモード３に従って、端末装置はＰＵＣＣＨとＰＵＳＣＨの同時送信を許可せず、アップリンク制御シグナリングをＰＵＳＣＨで送信し、ＰＵＣＣＨは送信しない。
【００８４】
アップリンク制御シグナリングがＡＣＫ/ＮＡＣＫ応答メッセージであると、ＡＣＫ/ＮＡＣＫ応答メッセージをＵＬ  ＳＣＣ１に対応するＰＵＳＣＨで送信する。アップリンク制御シグナリングが周期ＣＳＩであると、周期ＣＳＩをＵＬ  ＳＣＣ１に対応するＰＵＳＣＨで送信する。アップリンク制御シグナリングがＡＣＫ/ＮＡＣＫ応答メッセージと周期ＣＳＩであると、ＡＣＫ/ＮＡＣＫ応答メッセージと周期ＣＳＩをＵＬ  ＳＣＣ１のＰＵＳＣＨで送信する。
【００８５】
好適な実施形態３
図１３に示すように、ＵＬ  ＳＣＣ１と、ＵＬ  ＳＣＣ２と、ＵＬ  ＰＣＣにいずれも送信しようとするＰＵＳＣＨがあって、ＵＬ  ＳＣＣ１に対応するＤＣＩの非周期ＣＳＩ制御領域がＤＬ  ＳＣＣ１の非周期ＣＳＩのフィードバックをトリガーし、フィードバックモード３に従って、端末装置はＰＵＣＣＨとＰＵＳＣＨの同時送信を許可せず、アップリンク制御シグナリングをＰＵＳＣＨで送信し、ＰＵＣＣＨは送信しない。
【００８６】
アップリンク制御シグナリングがＡＣＫ/ＮＡＣＫ応答メッセージであると、ＡＣＫ/ＮＡＣＫ応答とＤＬ  ＳＣＣ１の非周期ＣＳＩをＵＬ  ＳＣＣ１のＰＵＳＣＨで送信する。アップリンク制御シグナリングがＤＬ  ＰＣＣの周期ＣＳＩであると、ＤＬ  ＰＣＣの周期ＣＳＩと非周期ＣＳＩを約定した方式で新しいＣＳＩレポートに組み合わせてＵＬ  ＳＣＣ１のＰＵＳＣＨで送信する。アップリンク制御シグナリングがＡＣＫ/ＮＡＣＫ応答メッセージとＤＬ  ＰＣＣの周期ＣＳＩであると、ＤＬ  ＰＣＣの周期ＣＳＩと非周期ＣＳＩを約定した方式で新しいＣＳＩレポートに組み合わせた後、ＡＣＫ/ＮＡＣＫ応答メッセージと一緒にＵＬ  ＳＣＣ１のＰＵＳＣＨで送信する。
【００８７】
好適な実施形態４
図１４に示すように、ＵＬ  ＳＣＣ１とＵＬ  ＳＣＣ２にいずれも送信しようとするＰＵＳＣＨがあって、ＵＬ  ＰＣＣには送信しようとするＰＵＳＣＨがなく、且つＵＬ  ＳＣＣ１に対応するＤＣＩの非周期ＣＳＩの制御領域がＤＬ  ＰＣＣとＤＬ  ＳＣＣ１の非周期ＣＳＩのフィードバックをトリガーし、フィードバックモード３に従って、端末装置はＰＵＣＣＨとＰＵＳＣＨの同時送信を許可せず、アップリンク制御シグナリングをＰＵＳＣＨで送信し、ＰＵＣＣＨは送信しない。
【００８８】
アップリンク制御シグナリングがＡＣＫ/ＮＡＣＫ応答メッセージであると、ＡＣＫ/ＮＡＣＫ応答メッセージとＤＬ  ＰＣＣとＤＬ  ＳＣＣ１の非周期ＣＳＩをＵＬ  ＳＣＣ１のＰＵＳＣＨで送信する。アップリンク制御シグナリングがＤＬ  ＰＣＣの周期ＣＳＩであると、周期ＣＳＩが示すＤＬ  ＰＣＣを非周期ＣＳＩが含むので、ＤＬ  ＰＣＣとＤＬ  ＳＣＣ１の非周期ＣＳＩをＵＬ  ＳＣＣ１のＰＵＳＣＨで送信し、同時にＤＬ  ＰＣＣの周期ＣＳＩは送信しない。アップリンク制御シグナリングがＡＣＫ/ＮＡＣＫ応答メッセージとＤＬ  ＰＣＣの周期ＣＳＩであると、周期ＣＳＩが示すＤＬ  ＰＣＣを非周期ＣＳＩが含むので、ＡＣＫ/ＮＡＣＫと、ＤＬ  ＰＣＣと、ＤＬ  ＳＣＣの非周期ＣＳＩをＵＬ  ＳＣＣ１のＰＵＳＣＨで送信し、ＤＬ  ＰＣＣの周期ＣＳＩは同時に送信しない。
【００８９】
上述のように、本発明の上記実施例によると、関連技術においてアップリンク制御シグナリングを如何に送信するかについて開示されていないため、アップリンク制御シグナリングを正確に処理することができない問題を解決し、基地局がアップリンク制御シグナリングを正確に復調することができる。
【００９０】
当業者にとっては、上記本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００９１】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013534761.tif 000004
【図２】
2013534761.tif 000005
【図３】
2013534761.tif 000006
【図４】
2013534761.tif 000007
【図５】
2013534761.tif 000008
【図６】
2013534761.tif 000009
【図７】
2013534761.tif 000010
【図８】
2013534761.tif 000011
【図９】
2013534761.tif 000012
【図１０】
2013534761.tif 000013
【図１１】
2013534761.tif 000014
【図１２】
2013534761.tif 000015
【図１３】
2013534761.tif 000016
【図１４】
2013534761.tif 000017
【国際調査報告】
2013534761.tif 000018
2013534761.tif 000019
2013534761.tif 000020
2013534761.tif 000021